(57)【要約】【課題】第１課題は、地球環境に優しく、リサイクル可能な素材を利用し、ヒトが日々接するディスプレイ付き電子機器について、ヒトの情緒感覚に適合する意匠的効果の発現による癒やし効果を奏する電子機器のフレームの提供であり、第の課題は、電子機器の音響をソフトにする聴覚的な癒やし効果が得られる電子機器のフレームの提供である。【解決手段】ディスプレイＤの正面部上下の水平部に固定される上部横フレーム１、下部横フレーム２、ディスプレイＤ左側部の垂直部に接着剤を介して貼着、固定された左側部縦フレーム３、ディスプレイＤ右側部の垂直部に接着剤を介して貼着、固定された右側部縦フレーム４から構成されている。【選択図】図１
2011065117.tif 000002
【特許請求の範囲】
【請求項１】
ディスプレイを備えた電子機器の正面部に取り付けられるフレームであって、
ディスプレイの正面部上下の水平部に固定される上下の横フレームと、
ディスプレイの左右側面垂直部に固定される左右の縦フレームと、
から構成され、
前記上下の横フレームと左右の縦フレームを接合又は一体化し四角形状とした、
ことを特徴とする電子機器のフレーム。
【請求項２】
前記横フレーム及び縦フレームの素材が無垢材、間伐材、廃棄木材又は木質材料からなる、
ことを特徴とする、請求項１に記載の電子機器のフレーム。
【請求項３】
前記横フレーム及び縦フレームの表面に柾目又は板目の木目模様が現出している、
ことを特徴とする、請求項１又は請求項２の何れかに記載の電子機器のフレーム。
【請求項４】
前記横フレーム及び縦フレームの表面に装飾加工がなされている、
ことを特徴とする、請求項１〜請求項３の何れかに記載の電子機器のフレーム。
【請求項５】
前記電子機器が、プラズマテレビ、液晶テレビ、パーソナルコンピュータ、デジタルフォトフレーム、テレビゲーム機又は電子辞書である、
ことを特徴とする、請求項１〜請求項４の何れかに記載の電子機器のフレーム。
【発明の詳細な説明】
【技術分野】
【０００１】  本発明は、ディスプレイを備えた電子機器のフレームに係り、より詳しくは、地球環境に優しく、リサイクル可能な素材を利用した電子機器のフレームに関する。
【背景技術】
【０００２】  近年、ディスプレイを備えた電子機器、特に家庭又は事務所内等に設置されるプラズマテレビ、液晶ディスプレイ、パーソナルコンピュータ等のフレーム素材は、全て、金属材、硬質樹脂材等で製作されている。金属材、例えばアルミニウム材はコスト高となっている。また硬質樹脂材等の素材は、電子機器製品の廃棄処分に際しは、地球温暖化、地球環境等への悪影響が懸念されている。またヒトが日々接する、例えばプラズマテレビ、液晶ディスプレイ、パーソナルコンピュータ等のフレームは、ヒトにとって、冷たい、無機質等の感覚をイメージさせるものであり、少なくとも精神的な落ち着きや快適さを感じさせることはできない。【０００３】  一方、木材又は木質材料を素材とする絵画や写真等の額縁は、従来から製作され市販されている。これは、木材又は木質材料等が、ヒトの視覚的効果や情緒感覚等に適合し、本体である絵画や写真と共に癒やし効果があると考えられる。【０００４】  本願発明者による先行技術調査によれば、電子機器、特に家庭又は事務所内等に設置されるプラズマテレビ、液晶テレビ等のフレームについて、無垢材はもちろん、間伐材、建築廃材等の木材又は木質材料を所定の形状としてなるフレームは、発見することができなかった。特許文献１（第２頁、図３参照）の「美観にすぐれたる背面を備えた液晶ディスプレイモニタ及びその製造方法」には、液晶ディスプレイのハウジングにプラスチック製の前枠を使用されていることが開示されている。また特許文献２（第１頁、図１参照）の「開口部を有する合成樹脂製枠体の成形方法」には、コンピュータのディスプレーの枠体や、液晶テレビ或いはプラズマテレビ等のディスプレー用の枠体など、内側に開口部を有する合成樹脂製枠体を、性状的に一定品質の合成樹脂成形品として一挙に成形することができる成形方法が開示されている。
【先行技術文献】
【特許文献】
【０００５】
【特許文献１】実用新案第３１２７０４９号公報
【特許文献２】特開２００６−３０５８６５号公報
【発明の概要】
【発明が解決しようとする課題】
【０００６】  本発明が解決しようとする第１の課題は、地球環境に優しく、リサイクル可能な素材を利用し、ヒトが日々接するディスプレイ付き電子機器について、ヒトの情緒感覚に適合する意匠的効果の発現による癒やし効果を奏する電子機器のフレームを提供することであり、第２の課題は、電子機器の音響をソフトにする聴覚的な癒やし効果が得られる電子機器のフレームを提供することである。
【課題を解決するための手段】
【０００７】  本願発明者は、上記従来技術が有する各種の問題点に鑑み、鋭意検討を重ねて本発明を完成したものであり、課題を解決するための手段は、本願、特許請求の範囲の各請求項に記載の発明であり、その具体的な解決手段は、以下の通りである。【０００８】  課題を解決するための第１の発明は、請求項１に記載の発明であり、
ディスプレイを備えた電子機器の正面部に取り付けられるフレームであって、
ディスプレイの正面部上下の水平部に固定される上下の横フレームと、
ディスプレイの左右側面垂直部に固定される左右の縦フレームと、
から構成され、
前記上下の横フレームと左右の縦フレームを接合又は一体化し四角形状とした、
ことを特徴としている。【０００９】  課題を解決するための第２の発明は、請求項２に記載の発明であり、
請求項１の電子機器のフレームにおいて、
前記横フレーム及び縦フレームの素材が無垢材、間伐材、廃棄木材又は木質材料からなる、
ことを特徴としている。【００１０】  課題を解決するための第３の発明は、請求項３に記載の発明であり、
請求項１又は請求項２の何れかに記載の電子機器のフレームにおいて、
前記横フレーム及び縦フレームの表面に柾目又は板目の木目模様が現出している、
ことを特徴としている。【００１１】  課題を解決するための第４の発明は、請求項３に記載の発明であり、
請求項１〜請求項３の何れかに記載の電子機器のフレームにおいて、
前記横フレーム及び縦フレームの表面に装飾加工がなされている、
ことを特徴としている。【００１２】  課題を解決するための第５の発明は、請求項５に記載の発明であり、
請求項１〜請求項３の何れかに記載の電子機器のフレームにおいて、
前記電子機器が、プラズマテレビ、液晶テレビ、パーソナルコンピュータ、デジタルフォトフレーム、テレビゲーム機又は電子辞書である、
ことを特徴としている。
【発明の効果】
【００１３】  本発明に係る電子機器等のフレームは、上記の構成になるから以下の効果を奏する。
即ち第１の発明によれば、
「ディスプレイを備えた電子機器の正面部に取り付けられるフレームであって、ディスプレイの正面部上下の水平部に固定される上下の横フレームと、ディスプレイの左右側面垂直部に固定される左右の縦フレームと、から構成され、前記上下の横フレームと左右の縦フレームを接合又は一体化し四角形状とした、」という、当業者が想定できない特徴的な構成としており、その構成から以下の効果を奏することができた。即ち、地球環境に優しく、リサイクル可能な素材を利用し、ヒトが日々接するディスプレイ付き電子機器について、ヒトの情緒感覚に適合する意匠的効果の発現による癒やし効果を奏する電子機器のフレームの提供という、第１の課題を解決することができた。また電子機器の音響をソフトにする聴覚的な癒やし効果が得られる電子機器のフレームの提供という、第２の課題を併せて解決することができた。【００１４】  第２の発明によれば、
「前記横フレーム及び縦フレームの素材が無垢材、間伐材、廃棄木材又は木質材料からなる」という、特徴ある構成としたので、リサイクル可能な素材である無垢材はもちろん、間伐材、廃棄木材等を有効活用するので、自然環境の破壊につながる森林伐採等を少なくすることができた。【００１５】  第３の発明によれば、
「前記横フレーム及び縦フレームの表面に柾目又は板目の木目模様が現出している」という、特徴ある構成とし、
また第４の発明によれば、
「前記横フレーム及び縦フレームの表面に装飾加工がなされている」という、特徴ある構成としているので、ヒトが日々接するディスプレイ付き電子機器について、ヒトの情緒感覚に適合する意匠的効果の発現による癒やし効果を奏することができた。【００１６】  第５の発明によれば、
「前記電子機器が、プラズマテレビ、液晶テレビ、パーソナルコンピュータ、デジタルフォトフレーム、テレビゲーム機又は電子辞書である」という、特徴ある構成としたので、ヒトが日々接する電子機器による精神的な疲労、ストレス等を軽減すると共に、電子機器の音響をソフトにする聴覚的な癒やし効果を得ることができた。
【図面の簡単な説明】
【００１７】
【図１】は、本発明に係る、第１の実施形態である電子機器のフレームの正面図である。
【図２】は、同側面図である。
【図３】は、図１における内部機構を省略した３−３線拡大断面図である。
【図４】は、図１におけるイ部拡大断面図である。
【図５】は、本発明に係る、第２の実施形態である電子機器のフレームの正面図である。
【図６】は、同側面図である。
【図７】は、図５における内部機構を省略した７−７線拡大断面図である。
【図８】は、図５におけるロ部拡大断面図である。
【図９】は、本発明に係る、第３の実施形態である電子機器のフレームの正面図である。
【図１０】は、同側面図である。
【発明を実施するための形態】
【００１８】  以下、本発明に係る電子機器のフレームの実施形態について図面を参照して詳細に説明する。図１〜図４は、本発明に係る第１の実施形態を示し、図１〜図４において、ＴＶは、薄型のプラズマテレビで、プラズマディスプレイＤを備えている。Ｃは筐体で前面板Ｃａ、後面板Ｃｂ及び天板Ｃｃからなっている。Ｐは支柱、Ｂは基台、ＳＰはスピーカボックスである。フレームＦ１０は、ディスプレイＤの正面部上部の水平部に接着剤を介して貼着、固定された上部横フレーム１、ディスプレイＤ下部の水平部に接着剤を介して貼着、固定された下部横フレーム２、ディスプレイＤ左側部の垂直部に接着剤を介して貼着、固定された左側部縦フレーム３、ディスプレイＤ右側部の垂直部に接着剤を介して貼着、固定された右側部縦フレーム４から構成されている。上部横フレーム１、下部横フレーム２、左側部縦フレーム３及び右側部縦フレーム４は、いずれも無垢材、間伐材、廃棄木材又は木質材料を素材として制作されている。上部横フレーム１の左辺１ａ及び右辺１ｂは、４５°の傾斜角度でカットされている。下部横フレーム２の左辺２ａ及び右辺２ｂは、４５°の傾斜角度でカットされている。また左側部縦フレーム３の上辺３ａ及び下辺３ｂは、４５°の傾斜角度でカットされている。右側部縦フレーム４の上辺４ａ及び下辺４ｂは、４５°の傾斜角度でカットされている。
【００１９】  上部横フレーム１の左辺１ａと左側部縦フレーム３の上辺３ａは、接着剤を介して突き合わせ接合Ｓａされ、筐体Ｃの前面板Ｃａに接着剤により固定されている。上部横フレーム１の右辺１ｂと右側部縦フレーム４の上辺４ａは、接着剤を介して突き合わせ接合Ｓｂされ筐体Ｃの前面板Ｃａに接着剤により固定されている。また下部横フレーム２の左辺２ａと左側部縦フレーム３の下辺３ｂは、接着剤を介して突き合わせ接合Ｓｃされ、筐体Ｃの前面板Ｃａに接着剤により固定されている。下部横フレーム２の右辺２ｂと右側部縦フレーム４の下辺４ｂは、接着剤を介して突き合わせ接合Ｓｄされ、筐体Ｃの前面板Ｃａに接着剤により固定されている。また、図１及び図４に示すように、上部横フレーム１、下部横フレーム２、左側部縦フレーム３及び右側部縦フレーム４の表面には板目の木目模様Ｍが現出している。
【００２０】  図５〜図８は、本発明に係る第２の実施形態を示し、図５〜図８において、ＰＣは、デスクトップ型のパーソナルコンピュータで、ディスプレイＤ１を備えている。Ｃ１は筐体で前面板Ｃ１ａ、後面板Ｃ１ｂ及び天板Ｃ１ｃからなっている。Ｐ１は支柱、Ｂ１は基台、Ｋはキーボードである。フレームＦ２０は、ディスプレイＤ１の正面部上部の水平部に接着剤を介して貼着、固定された上部横フレーム２１、ディスプレイＤ１下部の水平部に接着剤を介して貼着、固定された下部横フレーム２２、ディスプレイＤ１左側部の垂直部に接着剤を介して貼着、固定された左側部縦フレーム２３、ディスプレイＤ１右側部の垂直部に接着剤を介して貼着、固定された右側部縦フレーム２４から構成されている。フレームＦ２０は、例えば集成材、ＩＶＬ（単板積層材）等の木質材料を素材として四角形状に一体化されている。またその表面には装飾加工ＳＫが施されている。
【００２１】  図９及び図１０は、本発明に係る第３の実施形態を示し、図９〜図１０において、ＤＦは、ＣＤカメラ等で撮影した写真を展示、閲覧するためのデジタルフォトフレームで、ディスプレイＤ２を備え、机上ＤＫ等に載置されるものである。Ｃ２は筐体で、ＭＨはメモリーカード装着部であり、フレームＦ３０は、筐体Ｃ２の前面板Ｃ３２ａに貼着される。フレームＦ３０を構成する上部横フレーム３１、下部横フレーム３２、左側部縦フレーム３３及び右側部縦フレーム３４は、それぞれ隣接するフレームに突き合わせ接合される。上部横フレーム３１、下部横フレーム３２、左側部縦フレーム３３及び右側部縦フレーム３４の表面には柾目の木目模様Ｍが現出されている。また上部横フレーム３１、下部横フレーム３２、左側部縦フレーム３３及び右側部縦フレーム３４は、公知の押型成型法によって一体的に成型することができる。なおＦＧは、ディスプレイＤ２に映し出された写真であり、Ｐ２は、固定具である。
【符号の説明】
【００２２】Ｆ１０        フレーム
Ｄ            ディスプレイ
Ｍ            木目模様
１            上部横フレーム
２            下部横フレーム
３            左側部縦フレーム
４            右側部縦フレーム
５            木目模様
６            装飾加工
１ａ、２ａ    左辺
１ｂ、２ｂ    右辺
３ａ、４ａ    上辺
３ｂ、４ｂ    下辺
Ｓａ、Ｓｂ    突き合わせ接合
Ｓｃ、Ｓｄ    突き合わせ接合
【図１】
2011065117.tif 000003
【図２】
2011065117.tif 000004
【図３】
2011065117.tif 000005
【図４】
2011065117.tif 000006
【図５】
2011065117.tif 000007
【図６】
2011065117.tif 000008
【図７】
2011065117.tif 000009
【図８】
2011065117.tif 000010
【図９】
2011065117.tif 000011
【図１０】
2011065117.tif 000012